(57)【要約】【課題】建物等の開口部の外側に開口部を覆うボックス空間を形成する作業用防水シートを提供する。【解決手段】開口部ｂを覆うシート本体１０と、シート本体１０の内側に配置される門形枠体２０とからなる。シート本体１０は、上面部１１と両側面部１２，１３と前面部１４とからなる。上面部１１の前記開口部ｂに対応する端縁には、建物Ｂに配設される係止部ｆ１に該上面部１１を係止させるための上縁部係止手段１５が設けられ、上面部１１と前面部１４との内面境界部には、門形枠体２０の上辺部２１を固定する固定手段１８が配設され、両側面部１２，１３の開口側下端には、門形枠材２０の下端部を挿入して固定するポケット１９が設けられ、門形枠体２０は、シート本体１０内において固定手段１８とポケット１９とにより保持され門形枠体２０の両側辺部２２，２３が鉛直線に対して傾斜してシート本体１０を張った状態に保持する。【選択図】図１
2008280791.tif 000002
【特許請求の範囲】
【請求項１】
建物等の開口部を覆う作業用防水シートであって、
前記開口部を覆うシート本体と、該シート本体の内側に配置される門形枠体とからなり、
前記シート本体は、上面部と両側面部と前面部とからなり、
前記上面部の前記開口部に対応する端縁には、前記建物等に配設される係止部に該上面部を係止させるための係止手段が設けられ、
前記上面部と前記前面部との内面境界部には、前記門形枠体の上辺部を固定する固定手段が配設され、
前記両側面部の前記開口側下端には、前記門形枠材の下端部を挿入して固定するポケットが設けられ、
前記門形枠体は、前記シート本体内において前記固定手段と前記ポケットとにより保持され、該門形枠体の両側辺部が鉛直線に対して傾斜して前記シート本体を張った状態に保持する、ことを特徴とする作業用防水シート。
【請求項２】
前記前面部が、縦割りに分割されかつ該分割部の両側辺に設けられた一対の面ファスナにより接続・解離自在である、ことを特徴とする請求項１記載の作業用防水シート。
【請求項３】
前記シート本体は、前記上面部と前記両側面部とが一面体に形成され、前記前面部が別体に分離形成され、前記前面部の両側縁と上縁が前記上面部の端縁及び前記両側面部の端縁に面ファスナにより接続分離自在であることを特徴とする請求項１又は２に記載の作業用防水シート。
【請求項４】
前記門形枠材は、少なくとも上辺部と両側辺部とが接続分離可能に構成されている、ことを特徴とする請求項１ないし３のいずれかに記載の作業用防水シート。
【発明の詳細な説明】
【技術分野】
【０００１】
この発明は、作業用防水シートに関し、特に、電力中継所や携帯電話中継所等における壁面に取り付けられた扉が開かれて露出する機器類に対して作業を行う人が雨天時の作業に使用する作業用防水シートに関するものである。
【背景技術】
【０００２】
一般に、屋外電力盤を設置する電力中継所や携帯電話中継機器を設置する携帯電話中継所等の建物等には、点検・修理用の開口部を有するものの、奥行きがなく点検，修理を行う作業員が中へ入れないものがある。また、点検，修理を行う条件は必ずしも晴天ではなく、風雨に見舞われる場合もある。そこで、風雨に見舞われないで点検を行うためには、建物の外側に点検用開口を囲んで簡易に設置できる作業用テントが要望されている。
【０００３】
従来、この種の作業用テントとして、防水シートと、該防水シートを直方体状に支持する骨組とを具備するものが知られている（例えば、特許文献１参照）。
【０００４】
また、別のこの種の作業用テントとして、観音開き扉を覆うシート本体にて作業用の閉塞空間を形成する防雨シートが知られている（例えば、特許文献２参照）。
【特許文献１】特開平１０−３２５２４７号公報
【特許文献２】実用新案登録第３００９４４２号公報
【発明の開示】
【発明が解決しようとする課題】
【０００５】
しかしながら、特許文献１の作業用テントによれば、枠材を多量に使用して枠体を組立てる構成であるので、枠体の組立・分解作業が面倒で時間がかかり運搬も容易ではなく、しかも建物等壁面への固定も簡単とは言えない。更に、組立てた枠体にテント本体を被せる作業が簡便ではない。
【０００６】
また、特許文献２の簡易型防雨シートによれば、観音開き扉を備えた開口の外側に、開口に備える開扉状態とする観音開き扉を利用してボックス空間の閉塞空間を形成するものであり、観音開き扉を備えていない開口には適用できない。また、観音開き扉を備えていても、シート本体の大きさが扉幅の寸法に対応していないときは、取り付けできないか、取り付けが不適である。更に、開口観音開き扉を建物等壁面に対して直角に保持する必要があり、直角に保持できない観音開き扉を備えた開口には適していない。従って、適用できる開口が限定される。
【０００７】
この発明は、上記事情に鑑みてなされたもので、開口部の形態、すなわち扉の有無やその大きさ等に影響されることなく、迅速簡単に取付け・撤去が行えて、持ち運びが容易であり、電力中継所や携帯電話中継所等における壁面に取り付けられた扉が開かれて露出する機器類に対して作業を行う人が雨天時の作業に使用して好適である作業用防水シートを提供することを目的とする。
【課題を解決するための手段】
【０００８】
上記目的を達成するために、この発明の作業用防水シートは、建物等の開口部を覆う作業用防水シートであって、前記開口部を覆うシート本体と、該シート本体の内側に配置される門形枠体とからなり、前記シート本体は、上面部と両側面部と前面部とからなり、前記上面部の前記開口部に対応する端縁には、前記建物等に配設される係止部に該上面部を係止させるための係止手段が設けられ、前記上面部と前記前面部との内面境界部には、前記門形枠体の上辺部を固定する固定手段が配設され、前記両側面部の前記開口側下端には、前記門形枠材の下端部を挿入して固定するポケットが設けられ、前記門形枠体は、前記シート本体内において前記固定手段と前記ポケットとにより保持され、該門形枠体の両側辺部が鉛直線に対して傾斜して前記シート本体を張った状態に保持する、ことを特徴とする（請求項１）。
【０００９】
このように構成することにより、シート本体を折畳み状態から展開し、門形枠体をシート本体の内側に入れ、門形枠体の両側辺部の下端部をポケットに挿入して固定すると共に、門形枠体の上辺部をシート本体の上面部と前面部との内面境界部とをシート本体の内面に設けた固定手段により固定し、建物等の開口部に対応する端縁に設けられた係止手段を、建物等に配設される係止部に係止して、建物等の開口部に取り付けることができる。門形枠体は、両側辺部が斜めになり、重力作用で転倒しようとするモーメントが生じ、シート本体の上面部にテンションがかかり該上面部が平面に保たれ、雨水が溜まらず流れ落ちるようになる。この防水シートは、建物等の開口部を取り囲んでボックス空間を確保できる。シート本体の前面部及び両側面部の下端が拘束されていないから、前面部の下端中央部を持ち上げて中へ入ることができる。
【００１０】
この発明において、前記前面部が、縦割りに分割されかつ該分割部の両側辺に設けられた一対の面ファスナにより接続・解離自在であることが好ましい（請求項２）。
【００１１】
このように構成することにより、門形枠体が横切っていない前面部が、縦割りに分割されかつ該分割部の両側辺に設けられた一対の面ファスナにより接続・解離自在であるので、前面部に開閉容易な出入り口が確保される。
【００１２】
また、この発明において、前記シート本体は、前記上面部と前記両側面部とが一面体に形成され、前記前面部が別体に分離形成され、前記前面部の両側縁と上縁が前記上面部の端縁及び前記両側面部の端縁に面ファスナにより接続分離自在であることが好ましい（請求項３）。
【００１３】
このように構成することにより、先に前面部を除いたシート本体を門形枠体で張設し、次いで、前面部を面ファスナにより取り付けることができる。
【００１４】
加えて、この発明において、前記門形枠材は、少なくとも上辺部と両側辺部とが接続分離可能に構成されていることが好ましい（請求項４）。
【００１５】
このように構成することにより、不使用時には、門形枠材を少なくとも上辺部と両側辺部とに分離した状態で、保管あるいは持ち運ぶことができる。
【発明の効果】
【００１６】
この発明の作業用防水シートによれば、上記のように構成されているので、以下のような効果が得られる。
【００１７】
請求項１記載の発明によれば、建物等の開口部の外側に開口部を覆うボックス空間を迅速簡便に形成することができるので、電力中継所や携帯電話中継所等における壁面に取り付けられた扉が開かれて露出する機器類に対して作業を行う人が雨天時の作業に使用して好適である。
【００１８】
また、シート本体をボックス空間を維持する手段が門形枠体であるから、シンプルに構成され、簡単に組立てることができ、材料費が少なくて済み、持ち運びが容易である。そして、シート本体のポケットに門形枠体の両側下端を挿し込み、門形枠体の上辺部をシート本体の固定手段で固定し、係止手段を建物等にシート本体に付設された係止するだけで、防水シートの張設作業を完成させることができ、門形枠体を傾斜させて門形枠体の重力モーメント作用によりシート本体にテンションを与えた状態に建物等の開口部の外側に風雨を遮蔽するボックス空間となる防水シートの張設することができ、張設・撤去が迅速簡単に行える。また、シンプルな門形枠体と、上面部と両側面部と前面部の４面を備えたシート本体とを備えてなるので、構成が簡素であり、防水シートの材料費・製作コストを低く抑えられる。更に、建物等の開口部の大きさや両開き扉の有無等に影響されることなく、門形枠体でシート本体に対してボックス空間を形成保持する機能を十分に発揮できる。
【００１９】
請求項２記載の発明によれば、門形枠体が横切っていない前面部が、縦割りに分割されかつ該分割部の両側辺に設けられた一対の面ファスナにより接続・解離自在であるので、前面部に開閉容易な出入り口が確保される。
【００２０】
請求項３記載の発明によれば、先に前面部を除いたシート本体を門形枠体で張設し、次いで、前面部を面ファスナにより取り付けられるので、張設がやり易く、シート本体の折畳みも容易に行え、風雨が強くないときには、前面部の取付けをしなくてよく、作業空間に開放感が確保される、利便性がある。
【００２１】
請求項４記載の発明によれば、門形枠材を少なくとも上辺部と両側辺部とに接続分離可能なので、保管，持ち運びが容易である。
【発明を実施するための最良の形態】
【００２２】
以下に、この発明の最良の実施形態について添付図面に基づいて詳細に説明する。
【００２３】
◎第１実施形態
図１〜図４に示すように、この発明に係る作業用防水シート１００（以下に、防水シート１００という）は、電力中継所や携帯電話中継所等における建物Ｂの開口部ｂ内に設置された機器類Ｋ１，Ｋ２，Ｋ３に対して雨天時に作業する場合に使用し、機器類Ｋ１，Ｋ２，Ｋ３の扉を開いて作業を行う際に機器類Ｋ１，Ｋ２，Ｋ３が風雨に晒されないように、開口部ｂを取り囲んで壁面に取り付けボックス空間を形成するものである。
【００２４】
この防水シート１００は、シート本体１０と門形枠体２０とからなる。シート本体１０は、防水性を有するシート材よりなる上面部１１と両側面部１２，１３と一対の前面部１４Ａ，１４Ｂを備えてなる（図１参照）。この場合、上面部１１と両側面部１２，１３は一面体で形成され、一対の前面部１４Ａ，１４Ｂは、上面部１１と両側面部１２，１３とは別体で形成されている。側面部１２，１３は、上面部１１との境界辺と、建物Ｂの壁面に近接する側辺との交差部に適宜角度をもたせることにより、上面部１１が傾斜した状態となり、上面部１１に雨が溜まるのを防止することができる（図４参照）。
【００２５】
なお、この例では、前面部は、縦割りに２分割されているが、分割されていなくてもよい。また、分割されていなくて下端から上端付近まで出入用スリットが入れられた構成でもよい。
【００２６】
上面部１１と両側面部１２，１３の前面部側端縁（オーバーラップ代）に面ファスナ３０が設けられ、また、一対の前面部１４Ａ，１４Ｂの上縁及び両側縁（オーバーラップ代）に面ファスナ３０が設けられている。これにより、一対の前面部１４Ａ，１４Ｂは、上面部１１と両側面部１２，１３に対して面ファスナ３０を介して接続分離自在である。なお、面ファスナ３０は、両側面部１２，１３や前面部１４Ａ，１４Ｂの端縁に設けられて、端縁の強度を確保し、かつ形状安定性を保つ役目を果たしており、両側面部１２，１３の建物側端縁にも設けられている。
【００２７】
シート本体１０は、上面部１１の建物壁面側端縁に例えばフック状金具からなる複数の上縁部係止手段１５を備え、上面部１１の前面部側端縁に沿って例えば固定バンド等からなる複数の固定手段１８を備え、更に、両側面部１２，１３の建物壁面側内面下端部に、ポケット１９を備えている。
【００２８】
上縁部係止手段１５は、建物壁面に配設される係止部ｆ１に上面部１１の建物壁面側端縁を係止する役目を果たす。固定手段１８は、門形枠体２０の上辺部２１に繋着されて、門形枠体２０とシート本体１０とを固定する役目を果たす。また、ポケット１９は、門形枠材２０の側辺部２２，２３の下端部を収容して、門形枠材２０を支持・固定する役目を果たす。
【００２９】
なお、シート本体１０は、更に両側面部１２，１３の前面側下端にループ状の前面側下隅部係止手段１７を備える構造にしてもよい。
【００３０】
このように構成することにより、前面側下隅部係止手段１７は、必要に応じて外方に配置する例えば重石等に設けるフック（図示せず）を引っ掛けて該下隅部を固定する役目を果たす。
【００３１】
門形枠体２０は、シート本体１０の内側に配置されシート本体１０でボックス空間を保持するように張る役目を果たしている。門形枠体２０は、軽量で取り扱い性をよくするため例えばアルミニウム合金製であり、上辺部２１と両側辺部２２，２３を備えてなる。この場合、門形枠材２０は、少なくとも上辺部２１と両側辺部２２，２３とが接続分離可能に構成されていれば、持ち運びの利便性を有するが、この例では、上辺部２１と両側辺部２２，２３とはエルボ２４により接続分離可能であり、更に、上辺部２１と両側辺部２２，２３は、それぞれ二分割されソケット２５により接続分離可能であり、そして、両側辺部２２，２３の下端に、例えば合成樹脂製あるいは合成ゴム製のプラグ２６が嵌合された構成である（図６参照）。この場合、プラグ２６は、図７（ａ）に示すように被嵌タイプで平滑な端面２６ａを有する形状のものと、図７（ｂ）に示すように、挿嵌タイプで半球面端面２６ｂを有する形状のもの等のいずれの形状であってもよい。
【００３２】
門形枠体２０は、シート本体１０内において固定手段１８とポケット１９とにより保持される。門形枠体２０は、両側辺部２２，２３が両側面部１２，１３の対角線に一致するように傾斜し上縁部係止手段１５と共働してシート本体１０を張った状態に保持する。
【００３３】
次に、防水シート１００を張設する手順について説明する。まず、門形枠体２０を組み立てる。次に、門形枠体２０の両側辺部２２，２３の下端部をポケット１９に挿入し固定してから、門形枠体２０の上辺部２１にシート本体１０の上面部１１を被せ、固定手段１８により門形枠体２０の上辺部２１とシート本体１０の上面部１１の前面部側端縁を連繋し、固定する。次に、シート本体１０に設けられた上縁部係止手段１５を建物壁面に配設される係止部ｆ１に係止する。すると、門形枠体２０の両側辺部２２，２３は、シート本体１０の両側面部１２，１３の対角線に対応する傾斜状態になる。このため、門形枠体２０には重力作用で転倒する方向にモーメントが生じるから、シート本体１０の上面部１１にテンションがかかり、上面部１１が平面に保たれ雨水が溜まらず流れ落ちるようになり、また、両側面部１２，１３の対角線より建物壁面側の三角エリアにテンションがかかり平面に保たれる。
【００３４】
更に、前面側下隅部係止手段１７を備える場合は、前面側下隅部係止手段１７に外方に配置する例えば重石等に設けるフック（図示せず）を引っ掛けて該下隅部を固定する。これにより、両側面部１２，１３の対角線より下側の三角エリアが、前面側下隅部係止手段１７を係止する重石等により、テンションをかけられて平面に保たれる。
【００３５】
そして、別体に分離形成された前面部１４Ａ，１４Ｂの両側縁と上縁を、面ファスナ３０を介して上面部１１の端縁及び両側面部１２，１３の端縁に接続すると、取り付けが完了し、建物Ｂの開口部ｂの外側にボックス空間を形成でき、前面部１４Ａ，１４Ｂの側縁の面ファスナ３０を解離して内外を出入りできる。風がないときには、両方又は片方の前面部を取り付けなくてもよい。
【００３６】
風が強い時に風が吹き付ける側に延長シート（図示せず）を取り付けると、該延長シートの重みで該延長シートが取り付けられた両側面部１２，１３及び前記前面部１４Ａ，１４Ｂの下端の風による捲り上がりを防止でき、作業空間であるボックス空間の下部が凹まないので、作業がやり易くなる。
【００３７】
上記実施形態によれば、建物等の開口部の外側に開口部を覆うボックス空間を迅速簡便に形成することができるので、電力中継所や携帯電話中継所等における壁面に取り付けられた扉が開かれて露出する機器類に対して作業を行う人が雨天時の作業に使用して好適である。シート本体１０をボックス空間に維持する手段が門形枠体２０であるから、シンプルに構成され、簡単に組立てることができ、材料費が少なくて済み、持ち運びが容易である。そして、シート本体１０のポケット１９に門形枠体２０の両側下端を挿し込み、門形枠体２０の上辺部２１をシート本体１０の固定手段１８で連繋（固定）し、上縁部係止手段１５を建物Ｂにシート本体１０に付設された係止するだけで、防水シート１００の張設作業を完成させることができ、門形枠体２０を傾斜させて門形枠体２０の重力モーメント作用によりシート本体１０にテンションを与えた状態に建物Ｂの開口部ｂの外側に風雨を遮蔽するボックス空間となる防水シート１００の張設することができ、張設・撤去が迅速簡単に行える。
【００３８】
また、シンプルな門形枠体２０によりシート本体１０を張設できるので、構成が簡素であり、防水シート１００の材料費・製作コストを低く抑えられる。
【００３９】
更に、建物等の開口部の大きさや両開き扉の有無等に影響されることなく、門形枠体２０でシート本体１０に対してボックス空間を形成保持する機能を十分に発揮できる。
【００４０】
また、上記実施形態によれば、シート本体１０が、上面部１１と両側面部１２，１３との一面体と、別体の前面部１４Ａ，１４Ｂとに分離形成され、面ファスナ３０で接続されるので、組立て及び折り畳みを容易に行うことができて、枠材を上辺部２１と両側辺部２２，２３に分離し束ねて持ち運びができ、取り扱いが容易である。また、前面部１４Ａ，１４Ｂの下縁を捲りあげることなく開いて出入りが容易にできる。
【００４１】
◎その他の実施形態
以上、この発明の一実施形態に係る防水シートについて説明したが、この発明は、上記実施形態に限定されるものでなく、本発明の要旨を逸脱しない範囲内で種々の設計変更をした形態、例えば以下のような形態を含むものである。
【００４２】
（１）上記シート本体１０は、更に両側面部１２，１３の建物壁面側下端にフック状金物である下隅部壁面係止手段１６を備え、この下隅部壁面係止手段１６を建物壁面に配設される係止部ｆ２に係止する構造としてもよい（図８参照）。
【００４３】
このように構成することにより、シート本体１０の建物壁面への取付を更に強固にすることができる。
【００４４】
なお、図８において、その他の部分は第１実施形態と同じであるので、同一部分には同一符号を付して、説明は省略する。
【００４５】
（２）シート本体１０を上面部１１，両側面部１２，１３及び前面部１４Ａ，１４Ｂの一体構成としてもよい。上記第１実施形態では、シート本体１０は、前面部１４Ａ，１４Ｂが上面部１１及び両側面部１２，１３とは別体に構成されているが、上面部及び両側面部と前面部が一体に形成される場合も含む。この場合は、前面部と側面部の境界部に一対の面ファスナを設けて、面ファスナを解離することにより内外を出入りできるようにするか、あるいは、２分割ではない前面部の中程に、下端から上端近傍に渡るスリットを設けてスリットに沿って一対の面ファスナを設けて、面ファスナを解離することにより内外を出入りできるようにするとよい。なお、面ファスナに変えて他の閉じ合わせ手段を用いてもよい。
【００４６】
（３）上面部１１を山形状に傾斜させてもよい。すなわち、門形枠体２０の上辺部２１を、中央部が高く両端に向かって緩やかに漸次傾斜下降する鈍角の山形屈曲形状とすることにより、雨水が左右に分かれて流れ前面部の中央から出入りに際して雨水がかからないようにすることができる。
【００４７】
（４）延長シートを継ぎ足す構成としてもよい。すなわち、上記第１実施形態の側面部１２，１３と前面部１４Ａ，１４Ｂの外面下部に水平に面ファスナを設けると共に、延長シートにも面ファスナを設け、風が強い雨の日の作業に際して、風上側となる側面部１２，１３と前面部１４Ａ，１４Ｂの外面下部に前記延長シートを前記一対の面ファスナを介して延長接続できる構成とする場合も含まれる。
【００４８】
（５）上記第１実施形態では、上縁部係止手段１５をフック状金具としたが、これに限定されるものではなく、例えばフック状金具に代えて面ファスナやバックル等を用いてもよい。また、固定手段１８には、紐あるいは面ファスナ等を用いることができる。なお、ポケット１９の開口部に、該開口部を締め付けて門形枠材２０を固定する紐を取り付けるようにしてもよい。
【図面の簡単な説明】
【００４９】
【図１】この発明の第１実施形態に係る作業用防水シートの取付状態を示す斜視図である。
【図２】図１の防水シートの正面図である。
【図３】図１の防水シートの平面図である。
【図４】図２におけるIV−IV断面図である。
【図５】図１の防水シートの上面部の取付け構造を示す拡大断面図である。
【図６】図１の防水シートを構成する門形枠体を示す正面図である。
【図７】図６の門形枠体をシート本体に設けるポケットにより固定する構造を示す要部断面図である。
【図８】この発明の別の実施形態に係る作業用防水シートの取付状態を示す斜視図である。
【符号の説明】
【００５０】
Ｂ  建物等
ｂ  開口部
１００  防水シート
１０  シート本体
１１  上面部
１２，１３  側面部
１４Ａ，１４Ｂ  前面部
ｆ１  係止部
１５  上縁部係止手段
１８  固定手段
１９  ポケット
２０  門形枠体
２１  上辺部
２２，２３  側辺部
３０  面ファスナ
【図１】
2008280791.tif 000003
【図２】
2008280791.tif 000004
【図３】
2008280791.tif 000005
【図４】
2008280791.tif 000006
【図５】
2008280791.tif 000007
【図６】
2008280791.tif 000008
【図７】
2008280791.tif 000009
【図８】
2008280791.tif 000010